(57)【特許請求の範囲】
【請求項１】
表示画面を有したディスプレイと、
前記ディスプレイの前記表示画面とは反対側を覆った第一壁を有し、前記表示画面を露出させた状態で前記ディスプレイを収容した第一カバーと、
前記第一壁に対して前記ディスプレイの反対側に位置され、前記第一カバーとの間に前記表示画面と平行な第一方向に開口した収容室を形成した第二カバーと、
前記第一壁に対して前記表示画面とは反対側に位置され、前記収容室に収容されたシャーシと、
前記収容室の開口部を塞いだ第三カバーと、
を備え、
前記シャーシには、前記第一方向に並べられた複数の第三カバー用孔が設けられ、
前記第三カバーは、前記第一方向に並べられた複数の前記第三カバー用孔のうちいずれか一つに入れられた第三カバー用結合具によって前記シャーシに固定された、表示装置。
【請求項２】
前記シャーシには、長手方向が前記第一方向に沿う長孔が設けられ、
前記ディスプレイは、前記長孔に入れられたディスプレイ用第一結合具によって前記シャーシに固定された、請求項１に記載の表示装置。
【請求項３】
前記シャーシには、前記第一方向に並べられた複数のディスプレイ用孔が設けられ、
前記ディスプレイは、前記第一方向に並べられた複数の前記ディスプレイ用孔のうちいずれか一つに入れられたディスプレイ用第二結合具によって前記シャーシに固定された、請求項１または２に記載の表示装置。
【請求項４】
前記シャーシに固定され、前記第三カバーを位置決めする位置決め部材を備えた、請求項１〜３のうちいずれか一つに記載の表示装置。
【請求項５】
前記第一カバーに固定され、前記ディスプレイのうち前記表示画面に対して前記第一方向側の部分を覆った第四カバーを備えた、請求項１〜４のうちいずれか一つに記載の表示装置。
【発明の詳細な説明】
【技術分野】
【０００１】
本発明は、表示装置に関する。
【背景技術】
【０００２】
従来、ディスプレイと、複数の部材によって構成されディスプレイを収容した筐体と、を備える表示装置が知られている。
【先行技術文献】
【特許文献】
【０００３】
【特許文献１】特開２０１３−１３０９６９号公報
【発明の概要】
【発明が解決しようとする課題】
【０００４】
この種の表示装置では、例えば、大きさが異なる複数種類のディスプレイに応じた複数種類の筐体の部材が設定されると、筐体の部材の種類が多くなってしまうという問題がある。
【０００５】
そこで、本発明の課題の一つは、他の表示装置と筐体の部材の共通化がしやすい新規な構成の表示装置を得ることである。
【課題を解決するための手段】
【０００６】
本発明の第一態様にかかる表示装置は、表示画面を有したディスプレイと、前記ディスプレイの前記表示画面とは反対側を覆った第一壁を有し、前記表示画面を露出させた状態で前記ディスプレイを収容した第一カバーと、前記第一壁に対して前記ディスプレイの反対側に位置され、前記第一カバーとの間に前記表示画面と平行な第一方向に開口した収容室を形成した第二カバーと、前記第一壁に対して前記表示画面とは反対側に位置され、前記収容室に収容されたシャーシと、前記収容室の開口部を塞いだ第三カバーと、を備え、前記シャーシには、前記第一方向に並べられた複数の第三カバー用孔が設けられ、前記第三カバーは、前記第一方向に並べられた複数の前記第三カバー用孔のうちいずれか一つに入れられた第三カバー用結合具によって前記シャーシに固定されている。
【０００７】
前記表示装置では、例えば、前記シャーシには、長手方向が前記第一方向に沿う長孔が設けられ、前記ディスプレイは、前記長孔に入れられたディスプレイ用第一結合具によって前記シャーシに固定されている。
【０００８】
前記表示装置では、例えば、前記シャーシには、前記第一方向に並べられた複数のディスプレイ用孔が設けられ、前記ディスプレイは、前記第一方向に並べられた複数の前記ディスプレイ用孔のうちいずれか一つに入れられたディスプレイ用第二結合具によって前記シャーシに固定されている。
【０００９】
前記表示装置は、前記シャーシに固定され、前記第三カバーを位置決めする位置決め部材を備える。
【００１０】
前記表示装置は、前記第一カバーに固定され、前記ディスプレイのうち前記表示画面に対して前記第一方向側の部分を覆った第四カバーを備える。
【発明の効果】
【００１１】
本発明の上記態様によれば、他の表示装置と筐体の部材の共通化がしやすい新規な構成の表示装置を得ることができる。
【図面の簡単な説明】
【００１２】
【図１】図１は、実施形態の第一電子機器の正面側からの例示的な斜視図である。
【図２】図２は、実施形態の第一電子機器の背面側からの例示的な斜視図である。
【図３】図３は、実施形態の第二電子機器の正面側からの例示的な斜視図である。
【図４】図４は、実施形態の第二電子機器の背面側からの例示的な斜視図である。
【図５】図５は、実施形態の第一電子機器の正面側からの例示的な分解斜視図である。
【図６】図６は、実施形態の第一電子機器におけるディスプレイの正面側からの例示的な斜視図である。
【図７】図７は、実施形態の第一電子機器におけるディスプレイの背面側からの例示的な斜視図である。
【図８】図８は、実施形態の第一電子機器における正面カバーの正面側からの例示的な斜視図である。
【図９】図９は、実施形態の第一電子機器における正面カバーの背面側からの例示的な斜視図である。
【図１０】図１０は、実施形態の第一電子機器におけるシャーシの正面側からの例示的な斜視図である。
【図１１】図１１は、実施形態の第一電子機器におけるシャーシの背面側からの例示的な斜視図である。
【図１２】図１２は、実施形態の第一電子機器におけるシャーシの例示的な背面図である。
【図１３】図１３は、実施形態の第一電子機器における正面カバーおよびシャーシの例示的な背面図である。
【図１４】図１４は、実施形態の第一電子機器における背面カバーの正面側からの例示的な斜視図である。
【図１５】図１５は、実施形態の第一電子機器における背面カバーの背面側からの例示的な斜視図である。
【図１６】図１６は、実施形態の第一電子機器における底面カバーの正面側からの例示的な斜視図である。
【図１７】図１７は、実施形態の第一電子機器における底面カバーの例示的な背面図である。
【図１８】図１８は、実施形態の第一電子機器におけるシャーシおよび底面カバーの例示的な背面図である。
【図１９】図１９は、実施形態の第二電子機器の正面側からの例示的な分解斜視図である。
【図２０】図２０は、実施形態の第二電子機器におけるディスプレイの正面側からの例示的な斜視図である。
【図２１】図２１は、実施形態の第二電子機器におけるディスプレイの背面側からの例示的な斜視図である。
【図２２】図２２は、実施形態の第二電子機器における正面カバーの正面側からの例示的な斜視図である。
【図２３】図２３は、実施形態の第二電子機器における正面カバーの背面側からの例示的な斜視図である。
【図２４】図２４は、実施形態の第二電子機器における正面カバーおよびシャーシの例示的な背面図である。
【図２５】図２５は、実施形態の第二電子機器におけるシャーシおよび底面カバーの例示的な背面図である。
【発明を実施するための形態】
【００１３】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１４】
なお、本明細書では、序数は、部品や、部材、部位、位置、方向等を区別するためだけに用いられており、順番や優先度を示すものではない。
【００１５】
（電子機器の概要）
図１は、実施形態の第一電子機器１Ａの正面側からの例示的な斜視図である。図２は、実施形態の第一電子機器１Ａの背面側からの例示的な斜視図である。図３は、実施形態の第二電子機器１Ｂの正面側からの例示的な斜視図である。図４は、実施形態の第二電子機器１Ｂの背面側からの例示的な斜視図である。
【００１６】
図１および図２に示される第一電子機器１Ａと、図２および図３に示される第二電子機器１Ｂとは、所謂オールインワン型のパーソナルコンピュータとして構成されている。第一電子機器１Ａと第二電子機器１Ｂとは、一部の部品を除いて互いに同様に構成されている。以後、第一電子機器１Ａおよび第二電子機器１Ｂの総称として電子機器１を用いる。なお、電子機器１は、上記例には限定されず、例えば、デスクトップ型のパーソナルコンピュータや、クラムシェル型（ノートブック型）のパーソナルコンピュータ、映像表示装置、テレビジョン受像機、ゲーム機等であってもよい。電子機器１は、表示装置の一例である。
【００１７】
（第一電子機器）
図５は、実施形態の第一電子機器１Ａの正面側からの例示的な分解斜視図である。図１、図２、および図５に示されるように、第一電子機器１Ａは、筐体２Ａと、筐体２Ａに収容されたディスプレイ３Ａと、筐体２Ａを支持した支持体４と、支持体４のヒンジ部（不図示）を覆った支持体カバー５と、を備えている。支持体４は、不図示の机や、棚、台等の載置対象上に載置され、筐体２Ａを支持する。支持体４は、スタンドとも称される。また、筐体２Ａには、ディスプレイ３Ａの他に、不図示の回路基板等の収容品が収容されている。回路基板には、プロセッサ、メモリ等の各種の電子部品が実装されている。
【００１８】
本実施形態では、便宜上、方向が定義されている。Ｘ方向は、筐体２Ａの幅方向（左右方向、長手方向）に沿う方向である。Ｘ方向は右方、Ｘ方向の反対方向は左方とも称される。Ｙ方向は、筐体２の前後方向（厚さ）の前方と同じである。Ｚ方向は、筐体２Ａの上下方向の上方（高さ方向）と同じである。Ｘ方向、Ｙ方向、およびＺ方向は、互いに直交している。Ｚ方向の反対方向は、第一方向の一例である。
【００１９】
図６は、実施形態の第一電子機器１Ａにおけるディスプレイ３Ａの正面側からの例示的な斜視図である。図７は、実施形態の第一電子機器１Ａにおけるディスプレイ３Ａの背面側からの例示的な斜視図である。
【００２０】
図６および図７に示されるように、ディスプレイ３Ａは、表示画面３ａと、表示画面３ａの反対側の後面３ｂと、周縁部３ｃと、を有する。後面３ｂは、背面とも称される。ディスプレイ３Ａは、例えば液晶ディスプレイである。なお、ディスプレイ３Ａは、有機ディスプレイ等であってもよい。
【００２１】
図７に示されるように、後面３ｂには、複数の雌ネジ３ｄ，３ｅ，３ｆが設けられている。複数（一例として三つ）の雌ネジ３ｄは、後面３ｂの上端部においてＸ方向に互いに間隔を空けて並べられている。また、複数（一例として、二つ）の雌ネジ３ｅは、後面３ｂの上端部においてＸ方向に互いに間隔を空けて並べられている。雌ネジ３ｄと雌ネジ３ｅとは、交互に配置されている。また、複数（一例として、二つ）の雌ネジ３ｆは、後面３ｂにおける上端部と下端部とのうち下端部寄りの位置で、Ｘ方向に互いに間隔を空けて並べられている。
【００２２】
図５に示されるように、筐体２Ａは、複数の部材の組み合わせによって構成されている。具体的には、筐体２Ａは、正面カバー２１Ａと、シャーシ２２と、背面カバー２３と、底面カバー２４と、を有する。
【００２３】
図８は、実施形態の第一電子機器１Ａにおける正面カバー２１Ａの正面側からの例示的な斜視図である。図９は、実施形態の第一電子機器１Ａにおける正面カバー２１Ａの背面側からの例示的な斜視図である。
【００２４】
図８および図９に示されるように、正面カバー２１は、Ｙ方向に沿った視線で四角形のベース壁２１ａと、Ｙ方向に沿った視線で四角形の枠部２１ｂと、を有する。ベース壁２１ａは、枠部２１ｂにおけるＹ方向の中間部に配置されている。ベース壁２１ａは、ディスプレイ３Ａの表示画面３ａとは反対側すなわちディスプレイ３Ａの後面３ｂを覆っている。
【００２５】
また、正面カバー２１には、前側凹部２１ｃａ（図８）と、後側凹部２１ｃｂ（図９）と、が形成されている。前側凹部２１ｃａは、ベース壁２１ａの前面と当該前面からＹ方向に延びた枠部２１ｂとによって形成されている。前側凹部２１ｃａにディスプレイ３Ａが収容されている。正面カバー２１Ａは、表示画面３ａを露出させた状態でディスプレイ３Ａを収容している。後側凹部２１ｃｂは、ベース壁２１ａの後面と当該後面からＹ方向の反対方向に延びた枠部２１ｂとによって形成されている。後側凹部２１ｃｂは、背面カバー２３の凹部２３ｉとともに、収容室２ａを構成している。
【００２６】
また、ベース壁２１ａには、複数の孔２１ｄ，２１ｅ，２１ｆが設けられている。孔２１ｄ，２１ｅ，２１ｆは、ベース壁２１ａをＹ方向に貫通した貫通孔である。複数（一例として三つ）の孔２１ｄは、ベース壁２１ａの上端部においてＸ方向に互いに間隔を空けて並べられている。複数（一例として、二つ）の孔２１ｅは、ベース壁２１ａの上端部においてＸ方向に互いに間隔を空けて並べられている。孔２１ｄと孔２１ｅとは、交互に配置されている。また、複数（一例として、二つ）の孔２１ｆは、ベース壁２１ａにおける上端部と下端部２１ｊとのうち下端部２１ｊ寄りの位置で、Ｘ方向に互いに間隔を空けて並べられている。複数の孔２１ｄ，２１ｅ，２１ｆｂは、ディスプレイ３Ａの複数の雌ネジ３ｄ，３ｅ，３ｆとＹ方向に並べられている。
【００２７】
図１０は、実施形態の第一電子機器１Ａにおけるシャーシ２２の正面側からの例示的な斜視図である。図１１は、実施形態の第一電子機器１Ａにおけるシャーシ２２の背面側からの例示的な斜視図である。図１２は、実施形態の第一電子機器１Ａにおけるシャーシ２２の例示的な背面図である。図１３は、実施形態の第一電子機器１Ａにおける正面カバーおよびシャーシ２２の例示的な背面図である。
【００２８】
図１０〜図１２に示されるように、シャーシ２２は、壁２２ａを有する。壁２２ａは、前面２２ｂと、前面２２ｂの反対側の後面２２ｃと、を有する。図１３に示されるように、壁２２ａは、ベース壁２１ａに対して表示画面３ａとは反対側に位置され、正面カバー２１の後側凹部２１ｃｂに収容されている。すなわち、壁２２ａは、収容室２ａに収容されている。シャーシ２２には、不図示の基板やファン装置、記憶装置等の各種の部品が固定される。シャーシ２２は、フレームや支持部材とも称される。
【００２９】
図１０〜図１２に示されるように、シャーシ２２には、複数（一例として、三つ）の底面カバー用孔雌ネジ列２２ｇが設けられている。複数の底面カバー用孔雌ネジ列２２ｇは、シャーシ２２の壁２２ａの下端部において、互いにＸ方向に間隔をあけて並べられている。各底面カバー用孔雌ネジ列２２ｇは、Ｚ方向の反対方向に並べられた複数（一例として、二つ）の底面カバー用孔雌ネジ２２ｇａ，２２ｇｂによって構成されている。すなわち、複数の底面カバー用孔雌ネジ２２ｇａ，２２ｇｂが、Ｚ方向の反対方向に並べられている。底面カバー用孔雌ネジ２２ｇａは、底面カバー用孔雌ネジ２２ｇｂのＺ方向側に位置されている。底面カバー用孔雌ネジ２２ｇａ，２２ｇｂには、底面カバー用結合具４０Ｇが入れられる孔が設けられており、当該孔に入れられた底面カバー用結合具４０Ｇが底面カバー用孔雌ネジ２２ｇａ，２２ｇｂと結合する。すなわち、複数の底面カバー用孔雌ネジ２２ｇａ，２２ｇｂの複数の孔が、Ｚ方向の反対方向に並べられている。
【００３０】
また、シャーシ２２には、複数の長孔２２ｄが設けられている。複数の長孔２２ｄは、シャーシ２２の壁２２ａの上端部において、Ｘ方向に互いに間隔を空けて並べられている。長孔２２ｄの長手方向は、Ｚ方向に沿う。すなわち、長孔２２ｄの長手方向は、Ｚ方向の反対方向に沿う。複数の長孔２２ｄは、正面カバー２１の複数の孔２１ｄと、ディスプレイ３Ａの複数の雌ネジ３ｄと、Ｙ方向に並べられている。
【００３１】
また、シャーシ２２には、複数の孔２２ｅａ，２２ｅｂが設けられている。複数の孔２２ｅａ，２２ｅｂは、シャーシ２２の壁２２ａの上端部において、Ｘ方向に互いに間隔を空けて並べられている。複数の孔２２ｅａは、正面カバー２１の複数の孔２１ｅと、ディスプレイ３Ａの複数の雌ネジ３ｅと、Ｙ方向に並べられている。
【００３２】
また、シャーシ２２には、複数のディスプレイ用孔列２２ｆが設けられている。複数のディスプレイ用孔列２２ｆは、シャーシ２２の壁２２ａの上端部と下端部とのうち下端部寄りの位置で、Ｘ方向に互いに間隔を空けて並べられている。各ディスプレイ用孔列２２ｆは、Ｚ方向に並べられた複数（一例として、二つ）のディスプレイ用孔２２ｆａ，２２ｆｂによって構成されている。すなわち、複数のディスプレイ用孔２２ｆａ，２２ｆｂが、Ｚ方向と反対方向に並べられている。ディスプレイ用孔２２ｆａは、ディスプレイ用孔２２ｆｂのＺ方向の反対方向側に位置されている。複数のディスプレイ用孔２２ｆｂは、正面カバー２１の複数の孔２１ｆと、ディスプレイ３Ａの複数の雌ネジ３ｆと、Ｙ方向に並べられている。
【００３３】
ここで、図１３に示されるように、シャーシ２２には、ディスプレイ用結合具４０Ｄ，４０Ｅ，４０Ｆによってディスプレイ３Ａが固定されている。ディスプレイ用結合具４０Ｄ，４０Ｅ，４０ｆは、一例として雄ネジである。
【００３４】
ディスプレイ用結合具４０Ｄは、シャーシ２２の長孔２２ｄと正面カバー２１の孔２１ｄとに入れられた状態で、ディスプレイ３Ａの雌ネジ３ｄと結合している。ディスプレイ用結合具４０Ｅは、シャーシ２２の孔２２ｅａと正面カバー２１の孔２１ｅとに入れられた状態で、ディスプレイ３Ａの雌ネジ３ｅと結合している。ディスプレイ用結合具４０Ｆは、シャーシ２２の孔２１ｆａと、正面カバー２１の孔２１ｆとに入れられた状態で、ディスプレイ３Ａの雌ネジ３ｆと結合している。これらの固定により、ディスプレイ３Ａと正面カバー２１とシャーシ２２とが互いに固定されている。ディスプレイ用結合具４０Ｄは、ディスプレイ用第一結合具の一例であり、ディスプレイ用結合具４０Ｆは、ディスプレイ用第二結合具の一例である。
【００３５】
また、図１１〜図１３に示されるように、シャーシ２２には、底面カバー２４を位置決めする位置決め部材４１Ａまたは位置決め部材４１Ｂが固定されている。位置決め部材４１Ａは、位置決め部材４１ＢよりもＺ方向に位置される。第一電子機器１Ａのシャーシ２２には、位置決め部材４１Ａが固定され、第二電子機器１Ｂのシャーシ２２には、位置決め部材４１Ｂが固定される。一例として、第一電子機器１Ａのシャーシ２２には、位置決め部材４１Ｂは設けられず、第二電子機器１Ｂのシャーシ２２には、位置決め部材４１Ａが設けられない。
【００３６】
図１４は、実施形態の第一電子機器１Ａにおける背面カバー２３の正面側からの例示的な斜視図である。図１５は、実施形態の第一電子機器１Ａにおける背面カバー２３の背面側からの例示的な斜視図である。
【００３７】
図１４および図１５に示されるように、背面カバー２３は、ベース壁２３ａと、上壁２３ｄと、左壁２３ｇと、右壁２３ｆと、左張出部２３ｅと、右張出部２３ｈと、を有する。ベース壁２３ａは、正面カバー２１Ａのベース壁２１ａに対してディスプレイ３の反対側に位置されている。上壁２３ｄ、左壁２３ｇ、および右壁２３ｆは、それぞれ、ベース壁２１ａの、上端部、左端部、および右端部から、Ｙ方向に延びている。また、左張出部２３ｅは、左壁２３ｇのＹ方向の端部からＸ方向の反対方向に延びている。また、右張出部２３ｈは、右壁２３ｆのＹ方向の端部からＸ方向に延びている。
【００３８】
また、図１４に示されるように、背面カバー２３には、凹部２３ｉが形成されている。図５および図１４に示されるように、凹部２３ｉは、正面カバー２１の凹部２１ｃｂｊとともに、収容室２ａを構成している。収容室２ａのＺ方向の反対側の端部には、開口部２ｂが設けられている。すなわち、収容室２ａは、Ｚ方向の反対方向に開口している。開口部２ｂは、背面カバー２３の下端部２３ｊと正面カバー２１Ａの下端部２１ｊとの間に形成されている。開口部２ｂは、開口端部とも称される。
【００３９】
図２および図１５に示されるように、背面カバー２３は、雄ネジ等の結合具４０によって正面カバー２１と互いに固定されている。また、背面カバー２３には、不図示の支持体４のヒンジ部が連結されている。
【００４０】
図１６は、実施形態の第一電子機器１Ａにおける底面カバー２４の正面側からの例示的な斜視図である。図１７は、実施形態の第一電子機器１Ａにおける底面カバー２４の例示的な背面図である。図１８は、実施形態の第一電子機器１Ａにおけるシャーシ２２および底面カバー２４の例示的な背面図である。
【００４１】
底面カバー２４は、ベース２４ａと、ベース２４ａからＺ方向に延びた複数（一例として三つ）の固定部２４ｂと、を有する。ベース２４ａには、スピーカ２５やカメラ２６等の部品が固定されている。すなわち、底面カバー２４は、スピーカ２５等の部品を支持している。複数の固定部２４ｂは、Ｘ方向に互い間隔を空けて並べられている。固定部２４ｂは、例えば板金部材によって構成されうる。
【００４２】
固定部２４ｂには、孔２４ｇが設けられている。すなわち、底面カバー２４には、Ｘ方向に互い間隔を空けて並べられた複数の孔２４ｇが設けられている。また、複数の固定部２４ｂのうち両端に位置する二つの固定部２４Ｂには、切欠２４ｈが設けられている。
【００４３】
図１８に示されるように、底面カバー２４は、孔２４ｇに挿入された底面カバー用結合具４０Ｇによってシャーシ２２の壁２２ａの下端部に固定されている。底面カバー用結合具４０Ｇは、例えば雄ネジである。第一電子機器１Ａでは、底面カバー用結合具４０Ｇは、シャーシ２２に設けられた複数の底面カバー用孔雌ネジ２２ｇａ，２２ｇｂのうちＸ方向側の底面カバー用孔雌ネジ２２ｇａの孔に入れられた状態で当該底面カバー用孔雌ネジ２２ｇａと結合している。また、切欠２４ｈには、位置決め部材４１Ａが嵌まっている。これにより、シャーシ２２に対する底面カバー２４の位置決めがされている。底面カバー２４は、シャーシ２２に固定された状態で、収容室２ａの開口部２ｂを塞いでいる。底面カバー２４は、少なくとも一部が背面カバー２３の凹部２３ｉに入れ入れられている。図２から分かるように、第一電子機器１Ａでは、底面カバー２４の後面は、背面カバー２３によって略覆われている。
【００４４】
（第二電子機器）
次に、第二電子機器１Ｂについて、第一電子機器１Ａとの相違点を主に説明する。図１９は、実施形態の第二電子機器１Ｂの正面側からの例示的な分解斜視図である。
【００４５】
図１９に示されるように、第二電子機器１Ｂは、ディスプレイ３Ｂおよび正面カバー２１Ｂが第一電子機器１Ａのディスプレイ３Ａおよび正面カバー２１Ａと異なる。第二電子機器１Ｂのシャーシ２２、背面カバー２３、および底面カバー２４は、第一電子機器１Ａのシャーシ２２、背面カバー２３、および底面カバー２４と共通（同一形状）である。
【００４６】
図２０は、実施形態の第二電子機器１Ｂにおけるディスプレイ３Ｂの正面側からの例示的な斜視図である。図２１は、実施形態の第二電子機器１Ｂにおけるディスプレイ３Ｂの背面側からの例示的な斜視図である。
【００４７】
ディスプレイ３Ｂは、ディスプレイ３Ａと大きさが異なる。具体的には、ディスプレイ３Ｂは、Ｘ方向の幅、Ｙ方向の厚さ、およびＺ方向の高さが、ディスプレイ３Ａよりも大きい。ディスプレイ３Ｂは、表示画面３ａに対してＺ方向の反対側にフレキシブル配線板３ｒを有する。フレキシブル配線板３ｒは、部分の一例である。このフレキシブル配線板３ｒは、目隠しカバー３５（図３）によって覆われている。目隠しカバー３５は、例えば、正面カバー２１Ｂとディスプレイ３Ｂとの少なくとも一方に爪等によって固定されている。また、ディスプレイ３Ｂは、シャーシ２２に対する雌ネジ３ｄ，３ｅ，３ｆの位置がディスプレイ３Ｂと異なる。目隠しカバー３５は、第四カバーの一例である。
【００４８】
図２２は、実施形態の第二電子機器１Ｂにおける正面カバー２１Ｂの正面側からの例示的な斜視図である。図２３は、実施形態の第二電子機器１Ｂにおける正面カバー２１Ｂの背面側からの例示的な斜視図である。図２４は、実施形態の第二電子機器１Ｂにおける正面カバーおよびシャーシ２２の例示的な背面図である。
【００４９】
図２２〜図２４に示す正面カバー２１Ｂは、正面カバー２１Ａに対して、シャーシ２２に対する孔２１ｅ，２１ｆの位置が正面カバー２１Ａと異なる。
【００５０】
ここで、図２４に示されるように、第二電子機器１Ｂのシャーシ２２には、ディスプレイ用結合具４０Ｄ，４０Ｅ，４０Ｆによってディスプレイ３Ｂが固定されている。
【００５１】
第二電子機器１Ｂのディスプレイ用結合具４０Ｄは、第一電子機器１Ｂのディスプレイ用結合具４０Ｄと同様に、シャーシ２２の長孔２２ｄと正面カバー２１の孔２１ｄとに入れられた状態で、ディスプレイ３Ａの雌ネジ３ｄと結合している。ただし、第二電子機器１Ｂのディスプレイ用結合具４０Ｄと、第一電子機器１Ｂのディスプレイ用結合具４０Ｄとは、長孔２２ｄの孔内におけるＺ方向の位置が互いに異なる。また、第二電子機器１Ｂのディスプレイ用結合具４０Ｅは、シャーシ２２の孔２２ｅｂと正面カバー２１の孔２１ｅとに入れられた状態で、ディスプレイ３Ｂの雌ネジ３ｅと結合している。また、第二電子機器１Ｂのディスプレイ用結合具４０Ｆは、シャーシ２２の孔２１ｆｂと、正面カバー２１の孔２１ｆとに入れられた状態で、ディスプレイ３Ｂの雌ネジ３ｆと結合している。これらの固定により、ディスプレイ３Ｂと正面カバー２１とシャーシ２２とが互いに固定されている。
【００５２】
図２５は、実施形態の第二電子機器１Ｂにおけるシャーシ２２および底面カバー２４の例示的な背面図である。
【００５３】
図２５に示されるように、第二電子機器１Ｂの底面カバー２４は、第一電子機器１Ａの底面カバー２４と同様に、孔２４ｇに挿入された底面カバー用結合具４０Ｇによってシャーシ２２の壁２２ａの下端部に固定されている。ただし、第二電子機器１Ｂでは、底面カバー用結合具４０Ｇは、シャーシ２２に設けられた複数の底面カバー用孔雌ネジ２２ｇａ，２２ｇｂのうちＸ方向の反対方向側の底面カバー用孔雌ネジ２２ｇｂの孔に入れられた状態で当該底面カバー用孔雌ネジ２２ｇｂと結合している。また、切欠２４ｈには、位置決め部材４１Ｂが嵌まっている。これにより、シャーシ２２に対する底面カバー２４の位置決めがされている。底面カバー２４は、シャーシ２２に固定された状態で、収容室２ａの開口部２ｂを塞いでいる。底面カバー２４は、少なくとも一部が背面カバー２３の凹部２３ｉに入れられている。ただし、図４から分かるように、第二電子機器１Ｂの底面カバー２４の下端部は、背面カバー２３からＸ方向の反対方向に突出している。
【００５４】
（実施形態の効果）
以上のように、本実施形態では、第一電子機器１Ａおよび第二電子機器１Ｂ（表示装置）は、ディスプレイ３Ａ，３Ｂと、正面カバー２１Ａ，２１Ｂ（第一カバー）と、背面カバー２３（第二カバー）と、シャーシ２２と、底面カバー２４（第三カバー）と、を備える。ディスプレイ３Ａ，３Ｂは、表示画面３ａを有する。正面カバー２１Ａ，２１Ｂは、ディスプレイ３Ａ，３Ｂの表示画面３ａとは反対側を覆ったベース壁２１ａ（第一壁）を有し、表示画面３ａを露出させた状態でディスプレイ３Ａ，３Ｂを収容している。背面カバー２３は、ベース壁２１ａに対してディスプレイ３Ａ，３Ｂの反対側に位置され、正面カバー２１Ａ，２１Ｂとの間に表示画面３ａと平行なＺ方向の反対方向（第一方向）に開口した収容室２ａを形成している。シャーシ２２は、ベース壁２１ａに対して表示画面３ａとは反対側に位置され、収容室２ａに収容されている。底面カバー２４は、収容室２ａの開口部２ｂを塞いでいる。シャーシ２２には、Ｚ方向の反対方向に並べられた複数の底面カバー用孔雌ネジ２２ｇａ，２２ｇｂが設けられている。底面カバー２４は、Ｚ方向の反対方向に並べられた複数の底面カバー用孔雌ネジ２２ｇａ，２２ｇｂのうちいずれか一つに入れられた底面カバー用結合具４０Ｇによってシャーシ２２に固定されている。
【００５５】
このような構成によれば、第一電子機器１Ａの筐体２Ａの部材（少なくともシャーシ２２および底面カバー２４）と第二電子機器１Ｂの筐体２Ｂの部材（少なくともシャーシ２２および底面カバー２４）との共通化がしやすい。すなわち、他の電子機器である第二電子機器１Ｂと筐体２Ａ，２Ｂの部材の共通化がしやすい新規な構成の第一電子機器１Ａを得ることができる。換言すると、他の電子機器である第一電子機器１Ａと筐体２Ａ，２Ｂの部材の共通化がしやすい新規な構成の第二電子機器１Ｂを得ることができる。
【００５６】
また、本実施形態では、例えば、シャーシ２２には、長手方向がＺ方向の反対方向に沿う長孔２２ｄが設けられ、ディスプレイ３Ａ，３Ｂは、長孔２２ｄに入れられたディスプレイ用結合具４０Ｄ（ディスプレイ用第一結合具）によってシャーシ２２に固定されている。
【００５７】
このような構成によれば、第一電子機器１Ａの筐体２Ａのシャーシ２２と、第二電子機器１Ｂの筐体２Ｂのシャーシ２２との共通化がしやすい。
【００５８】
また、本実施形態では、例えば、シャーシ２２には、Ｚ方向の反対方向に並べられた複数のディスプレイ用孔２２ｆａ，２２ｆｂが設けられている。ディスプレイ３Ａ，３Ｂは、Ｚ方向の反対方向に並べられた複数のディスプレイ用孔２２ｆａ，２２ｆｂのうちいずれか一つに入れられたディスプレイ用結合具４０Ｆ（ディスプレイ用第二結合具）によってシャーシ２２に固定されている。
【００５９】
このような構成によれば、第一電子機器１Ａの筐体２Ａのシャーシ２２と、第二電子機器１Ｂの筐体２Ｂのシャーシ２２との共通化がしやすい。
【００６０】
また、本実施形態では、第一電子機器１Ａおよび第二電子機器１Ｂは、シャーシ２２に固定され、底面カバー２４を位置決めする位置決め部材４１Ａ，４１Ｂを備える。
【００６１】
このような構成によれば、シャーシ２２に対する底面カバー２４の位置決めを位置決め部材４１Ａ，４１Ｂによって行うことができる。
【００６２】
また、本実施形態では、第二電子機器１Ｂは、正面カバー２１Ｂに固定され、ディスプレイ３Ｂのうち表示画面３ａに対してＺ方向の反対方向側の部分であるフレキシブル配線板３ｒを覆った目隠しカバー３５（第四カバー）を備える。
【００６３】
このような構成によれば、ディスプレイ３Ｂのうち表示画面３ａに対してＺ方向の反対方向側の部分であるフレキシブル配線板３ｒを目隠しカバー３５によって保護することができる。
【００６４】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６５】
１…電子機器（表示装置）、１Ａ…第一電子機器（表示装置）、１Ｂ…第二電子機器（表示装置）、２Ａ，２Ｂ…筐体、２ａ…収容室、２ｂ…開口部、３Ａ，３Ｂ…ディスプレイ、３ａ…表示画面、２１Ａ，２１Ｂ…正面カバー（第一カバー）、２１ａ…ベース壁（第一壁）、２２…シャーシ、２２ｆａ，２２ｆｂ…ディスプレイ用孔、２２ｇａ，２２ｇｂ…底面カバー用孔雌ネジ（第三カバー用孔）、２２ｄ…長孔、２３…背面カバー（第二カバー）、２４…底面カバー（第三カバー）、３５…目隠しカバー（第四カバー）、４０Ｄ…ディスプレイ用結合具（ディスプレイ用第一結合具）、４０Ｇ…底面カバー用結合具（第三カバー用結合具）、４０Ｆ…ディスプレイ用結合具（ディスプレイ用第二結合具）、４１Ａ，４１Ｂ…位置決め部材。
【要約】
【課題】他の表示装置と筐体の部材の共通化がしやすい新規な構成の表示装置を得る。
【解決手段】表示装置は、ディスプレイと、第一カバーと、第二カバーと、シャーシと、第三カバーと、を備える。第一カバーは、ディスプレイの表示画面とは反対側を覆った第一壁を有しディスプレイを収容している。第二カバーは、第一壁に対してディスプレイの反対側に位置され、第一カバーとの間に表示画面と直交する第一方向に開口した収容室を形成している。シャーシは、第一壁に対して表示画面とは反対側に位置され、収容室に収容されている。第三カバーは、収容室の開口部を塞いでいる。シャーシには、第一方向に並べられた複数の第三カバー用孔が設けられ、第三カバーは、第一方向に並べられた複数の第三カバー用孔のうちいずれか一つに入れられた第三カバー用結合具によってシャーシに固定されている。
【選択図】図１８【図１】
0006823278.tif 000002
【図２】
0006823278.tif 000003
【図３】
0006823278.tif 000004
【図４】
0006823278.tif 000005
【図５】
0006823278.tif 000006
【図６】
0006823278.tif 000007
【図７】
0006823278.tif 000008
【図８】
0006823278.tif 000009
【図９】
0006823278.tif 000010
【図１０】
0006823278.tif 000011
【図１１】
0006823278.tif 000012
【図１２】
0006823278.tif 000013
【図１３】
0006823278.tif 000014
【図１４】
0006823278.tif 000015
【図１５】
0006823278.tif 000016
【図１６】
0006823278.tif 000017
【図１７】
0006823278.tif 000018
【図１８】
0006823278.tif 000019
【図１９】
0006823278.tif 000020
【図２０】
0006823278.tif 000021
【図２１】
0006823278.tif 000022
【図２２】
0006823278.tif 000023
【図２３】
0006823278.tif 000024
【図２４】
0006823278.tif 000025
【図２５】
0006823278.tif 000026